(57)【要約】【課題】基準クロック発生部からのクロックに従属同期化してデータ伝送を行うデータ伝送システム及び伝送装置に関し、基準クロック発生部の障害に同期網を継続できるように切替制御する。【解決手段】高精度のクロックを発生する現用系と予備系との基準クロック発生部（マスタクロック発生部ＭＣＬＫとスレーブクロック発生部ＳＣＬＫ）と、複数の伝送装置ＮＥ１〜ＮＥ２０と、同期化供給装置ＳＳＵとを含むデータ伝送システム及び伝送装置に於いて、同期化供給装置ＳＳＵを接続した伝送装置ＮＥ１０は、伝送装置ＮＥ２０のクロック発生部ＣＧの自走状態を示すクロックの品質レベルＱＬ−ＳＥＣを受信検出した時に、伝送装置ＮＥ１側へクロックの品質レベルＱＬ−ＳＥＣを送出し、伝送装置ＮＥ１に於いてスレーブクロック発生部ＳＣＬＫからのクロックを選択する。【選択図】      図１
2004159124.tif 000002
【特許請求の範囲】
【請求項１】
高精度のクロックを発生する現用系と予備系との基準クロック発生部と、品質情報を基に伝送路クロックを選択して従属同期化してデータ伝送処理を行う複数の伝送装置と、該複数の伝送装置間の伝送過程の前記クロックの再生処理を行う同期化供給装置とを含むデータ伝送システムに於いて、
前記同期化供給装置を接続した伝送装置は、現用系の基準クロック発生部側の伝送装置のクロック発生部の自走状態を示すクロックの品質情報を受信検出した時に、予備系の基準クロック発生部を接続した伝送装置側へクロック発生部の自走状態を示すクロックの品質情報を送出する構成を有し、前記予備系の基準クロック発生部を接続した伝送装置は、前記クロック発生部の自走状態を示すクロックの品質情報を受信検出して、前記予備系の基準クロック発生部からのクロックを選択する構成を備えた
ことを特徴とするデータ伝送システム。
【請求項２】
前記同期化供給装置を接続した伝送装置は、前記現用系の基準クロック発生部側の伝送装置のクロック発生部の自走状態を示すクロックの品質情報を受信検出した時に、該クロックの品質情報を受信した側の伝送装置からのクロックを選択してデータ伝送処理を行い、且つ前記受信検出したクロックの品質情報を送出する構成を備えたことを特徴とする請求項１記載のデータ伝送システム。
【請求項３】
前記同期化供給装置を接続した伝送装置は、前記現用系の基準クロック発生部側の伝送装置のクロック発生部の自走状態を示すクロックの品質情報を受信検出した時に、前記同期化供給装置へ転送するクロックを総て断として、該同期化供給装置からの自走状態のクロックを選択してデータ伝送処理を行い、且つクロック発生部の自走状態を示すクロックの品質情報を送出する構成を備えたことを特徴とする請求項１記載のデータ伝送システム。
【請求項４】
データ伝送システムの同期化供給装置を接続した伝送装置に於いて、
入力クロックに位相同期してクロックを発生し、且つ前記入力クロック断時は自走発振するクロック発生部と、
前記同期化供給装置との間でクロックの送受信切替え及び前記クロック発生部への入力クロックの選択切替えを行う選択処理部と、
伝送路クロックの品質情報を基に前記選択処理部を制御し、自走状態のクロックの品質情報を受信検出した時に、該品質情報のクロックの前記同期化供給装置への送出を停止し、該同期化供給装置からのクロックを、前記品質情報を送出した伝送装置側のクロックに切替え、且つ予備系の基準クロック発生部側の伝送装置に対して自走状態のクロックの品質情報を送出する制御を行う選択制御処理部と
を備えたことを特徴とする伝送装置。
【請求項５】
データ伝送システムの同期化供給装置を接続した伝送装置に於いて、
入力クロックに位相同期してクロックを発生し、且つ前記入力クロック断時は自走発振するクロック発生部と、
前記同期化供給装置との間でクロックの送受信切替え及び前記クロック発生部への入力クロックの選択切替えを行う選択処理部と、
伝送路クロックの品質情報を基に前記選択処理部を制御し、自走状態のクロックの品質情報を受信検出した時に、該品質情報のクロックの前記同期化供給装置への送出を停止し、前記同期化供給装置からのクロックを選択して前記クロック発生部に入力し、且つ予備系の基準クロック発生部側の伝送装置に対して自走状態のクロックの品質情報を送出する制御を行う選択制御処理部と
を備えたことを特徴とする伝送装置。
【発明の詳細な説明】
【０００１】
【発明の属する技術分野】
本発明は、高精度且つ高安定度の基準クロックを発生する基準クロック発生部からのクロックに従属同期する複数の伝送装置により高速データ伝送を行うデータ伝送システム及び伝送装置に関する。
【０００２】
【従来の技術】
高速でデータ伝送を行うデータ伝送システムとして、例えば、ＳＤＨ（Ｓｙｎｃｈｒｏｎｏｕｓ  Ｄｉｇｉｔａｌ  Ｈｉｅｒａｒｃｈｙ）システム、又はＳＯＮＥＴ（Ｓｙｎｃｈｒｏｎｏｕｓ  Ｏｐｔｉｃａｌ  Ｎｅｔｗｏｒｋ）システムが知られている。このようなデータ伝送システムに於いて、網同期化の為に、各伝送装置毎に、原子発振器等からなる高精度且つ高安定度の基準クロック発生部を設けた独立同期方式が考えられる。しかし、高精度且つ高安定度の基準クロック発生部は非常に高価であるから、システムに共通の高精度且つ高安定度の基準クロック発生部を設けて従属同期方式とする場合が一般的である。又この高精度且つ高安定度の基準クロック発生部を、マスタクロック発生部とスレーブクロック発生部として二重化し、現用系としてのマスタクロック発生部に障害が発生した場合、予備系としてのスレーブクロック発生部に切替えるシステムが知られている。
【０００３】
図８は従来のデータ伝送システムの概要を示し、（Ａ）は正常時、（Ｂ）は障害発生時を示す。又光伝送路により接続された伝送装置ＮＥ１〜ＮＥ２０の中の伝送装置ＮＥ１，ＮＥ５，ＮＥ１０，ＮＥ１５，ＮＥ２０について図示し、伝送装置ＮＥ１に予備系の基準クロック発生部としてのスレーブクロック発生部ＳＣＬＫを接続し、伝送装置ＮＥ２０に現用系の基準クロック発生部としてのマスタクロック発生部ＭＣＬＫを接続し、伝送装置ＮＥ１０に同期化供給装置ＳＳＵ（Ｓｙｎｃｈｒｏｎｉｚａｔｉｏｎ  Ｓｕｐｐｌｙ  Ｕｎｉｔ）を接続した構成を示す。なお、同期化供給装置ＳＳＵは、ＩＴＵ−Ｔ  Ｇ．８０３  ８．２．４項により、２０台の伝送装置に対して１台の割合で設けることが規定されている。従って、図８に於いても、２０台の伝送装置ＮＥ１〜ＮＥ２０に対して１台の同期化供給装置ＳＳＵを設けている。又矢印は、伝送路クロック及び品質情報の伝送経路を示す。
【０００４】
又各伝送装置ＮＥ１〜ＮＥ２０は、クロック発生部ＣＧと、図示を省略しているクロック選択部と、ＳＤＨフレームによるデータの送受信機能とを有し、伝送路クロックの品質情報を伝送し、この品質情報によるクロックの品質レベルの高い方の伝送路クロックを、クロック選択部により選択してクロック発生部ＣＧに入力し、従属同期化動作を行って、データの送受信処理を行うものである。又同期化供給装置ＳＳＵは、伝送装置ＮＥ１０から選択送出されたクロックに同期して、マスタクロック発生部ＭＣＬＫ及びスレーブクロック発生部ＳＣＬＫのクロック精度に相当する精度のクロックを再生処理して、伝送装置ＮＥ１０に戻す機能を有するものである。
【０００５】
クロックの品質情報は、ＳＳＭ（Ｓｙｎｃｈｒｏｎｉｚａｔｉｏｎ  Ｓｔａｔｕｓ  Ｍａｓｓａｇｅ）コードにより伝送される。ＩＴＵ−Ｔ  Ｇ．７８１によるＳＳＭコードと品質レベルとを図９の（Ａ）に、又品質レベルとクロック選択の優先度とを図９の（Ｂ）に示す。このＳＳＭコードは、４ビット構成であり、伝送装置間では、ＳＤＨフレームのセクションオーバーヘッドＳＯＨを用いて伝送するものである。又ＳＳＭコードは、“００００”〜“１１１１”に対応して品質レベルが規定され、例えば、ＳＳＭコード＝“００１０”の品質レベルＱＬ−ＰＲＣの優先度が最も高く、品質レベルＱＬ−ＤＮＵ，ＱＬ−ＩＮＶｎ（ｎ＝０〜４）の優先度が最も低いものであり、特に、ＳＳＭコード＝“１１１１”の品質レベルＱＬ−ＤＮＵは、Ｄｏ−Ｎｏｔ−Ｕｓｅを意味し、この品質レベルＱＬ−ＤＮＵのクロックは選択が禁止される。
【０００６】
又図８の（Ａ）に於いては、正常時であるから、伝送装置ＮＥ２０は、マスタクロック発生部ＭＣＬＫからのクロックを選択してクロック発生部ＣＧの同期化を行い、そのクロックを用いて伝送処理し、且つ品質レベルを優先度最高のＱＬ−ＰＲＣとして伝送装置ＮＥ１５側へ送出する。伝送装置ＮＥ１５も、抽出した伝送路クロックについて、伝送装置ＮＥ２０側からのクロックを選択し、そのクロックを用いて伝送処理し、且つ品質レベルＱＬ−ＰＲＣを伝送装置ＮＥ１０側へ送出する。又伝送装置ＮＥ１５は、伝送装置ＮＥ２０側へは、クロック選択禁止の品質レベルＱＬ−ＤＮＵを送出する。
【０００７】
又伝送装置ＮＥ１０は、クロックの品質レベルがＱＬ−ＰＲＣであるから、このクロックを選択して同期化供給装置ＳＳＵに転送し、同期化供給装置ＳＳＵに於いて再生処理された高精度のクロックを用いてクロック発生部ＣＧを同期化し、このクロックを用いて伝送処理し、その品質レベルＱＬ−ＰＲＣを伝送装置ＮＥ５側へ送出する。又伝送装置ＮＥ１５側へは、クロック選択禁止の品質レベルＱＬ−ＤＮＵを送出する。
【０００８】
伝送装置ＮＥ５は、伝送装置ＮＥ１０側のクロックを選択し、品質レベルＱＬ−ＰＲＣを伝送装置ＮＥ１側へ送出する。伝送装置ＮＥ１は、スレーブクロック発生部ＳＣＬＫからのクロックの品質レベルがＱＬ−ＰＲＣと判定するものであるが、伝送装置ＮＥ５側からのクロックの品質レベルがＱＬ−ＰＲＣの場合、マスタクロック発生部ＭＣＬＫ側からのクロックを選択する。又各伝送装置ＮＥ１〜ＮＥ１９は、選択しない側に、クロック選択禁止の品質レベルＱＬ−ＤＮＵを送出する。従って、伝送装置ＮＥ１０に於いては、マスタクロック発生部ＭＣＬＫ側の品質レベルがＱＬ−ＰＲＣであるが、スレーブクロック発生部ＳＣＬＫ側の品質レベルがＱＬ−ＤＮＵであるから、マスタクロック発生部ＭＣＬＫ側からのクロックを選択して同期化供給装置ＳＳＵに転送することになる。
【０００９】
又図８の（Ｂ）に示すように、マスタクロック発生部ＭＣＬＫに障害が発生すると、伝送装置ＮＥ２０は、従属同期ができないので、以前の位相を保持して自走発振するホールドオーバー状態とし、この自走状態を示すクロックの品質レベルＱＬ−ＳＥＣを送出する。伝送装置ＮＥ１５は、伝送装置ＮＥ１０側からのクロックの品質レベルがＱＬ−ＤＮＵであり、伝送装置ＮＥ２０側のクロックの品質レベルがＱＬ−ＳＥＣであるから、この伝送装置ＮＥ２０側のクロックを選択し、その品質レベルをＱＬ−ＳＥＣとして送出する。伝送装置ＮＥ１０は、伝送装置ＮＥ１５側からのクロックの品質レベルが低いので、同期化供給装置ＳＳＵへ転送する為の選択を行わない。それにより、同期化供給装置ＳＳＵは、自走状態のクロックを伝送装置ＮＥ１０に供給する。
【００１０】
この場合、伝送装置ＮＥ１０は、以前の状態と同様に、同期化供給装置ＳＳＵからのクロックを用いて、品質レベルをＱＬ−ＰＲＣとして送出する。従って、伝送装置ＮＥ１側については、図８の（Ａ）に示す場合と同様なクロック選択状態となる。この時、同期化供給装置ＳＳＵと伝送装置ＮＥ１０との間でクロックの品質情報を伝送することができるシステムに於いては、マスタクロック発生部ＭＣＬＫの障害発生による伝送装置ＮＥ１０からのクロック入力が断となると、同期化供給装置ＳＳＵは、品質レベルをＱＬ−ＰＲＣから例えばＱＬ−ＳＳＵ−Ａとして、優先度を低下させる。伝送装置ＮＥ１０は、この品質レベルを伝送装置ＮＥ１側へ送出するから、伝送装置ＮＥ１に於いては、スレーブクロック発生部ＳＣＬＫからのクロックの品質レベルＱＬ−ＰＲＣの方が優先度が高いので、スレーブクロック発生部ＳＣＬＫからのクロックを選択し、伝送装置ＮＥ５側へ品質レベルＱＬ−ＰＲＣとして送出する。伝送装置ＮＥ５は、品質レベルの高い方の伝送装置ＮＥ１側からのクロックを選択し、伝送装置ＮＥ１側へは伝送品質ＱＬ−ＤＮＵを送出し、伝送装置ＮＥ１０側へはスレーブクロック発生部ＳＣＬＫからのクロックを選択し、且つ品質レベルをＱＬ−ＰＲＣとして送出する。
【００１１】
伝送装置ＮＥ１０は、スレーブクロック発生部ＳＣＬＫからのクロックを選択して同期化供給装置ＳＳＵに転送し、同期化供給装置ＳＳＵに於いて再生処理されたクロックを選択して、クロック発生部ＣＧの同期化処理を行い、伝送装置ＮＥ１５側へ品質レベルＱＬ−ＰＲＣを送出する。伝送装置ＮＥ１５は、品質レベルＱＬ−ＰＲＣのスレーブクロック発生部ＳＣＬＫ側のクロックを選択し、同様に、伝送装置ＮＥ２０に於いても、スレーブクロック発生部ＳＣＬＫ側のクロックを選択するから、マスタクロック発生部ＭＳＣＬＫの障害発生により、スレーブクロック発生部ＳＣＬＫに切替えて網同期を継続することができる。
【００１２】
伝送装置ＮＥ１０と同期化供給装置ＳＳＵとの間の品質情報の転送は、例えば、ＩＴＵ−Ｔ  Ｇ．７０４の規定による２Ｍｂｐｓのマルチフレームにより行うことができる。図１０はこのマルチフレームを示し、マルチフレームＭＦは、サブマルチフレームＳＭＦＩ  ，ＳＭＦＩＩから構成され、サブマルチフレームＳＭＦＩ  は、フレーム番号ＦＮ０〜ＦＮ７の８フレーム、サブマルチフレームＳＭＦＩＩは、フレーム番号ＦＮ８〜ＦＮ１５の８フレームからそれぞれ構成され、ビット番号ＢＮ４〜ＢＮ８のスペアビットＳａ４１〜Ｓａ８１の４ビット構成により、図９の（Ａ）のＳＳＭコードとして品質情報を転送することができる。
【００１３】
なお、伝送装置ＮＥ１０と同期化供給装置ＳＳＵとの間で、クロックの品質情報を転送できないシステムに於いては、図８の（Ｂ）の状態で、同期化供給装置ＳＳＵからのクロック断が発生すれば、伝送装置ＮＥ１０のクロック発生部ＣＧは自走状態となるから、伝送装置ＮＥ１側へ、自走状態を示す品質レベルＱＬ−ＳＥＣを送出することになる。それにより、伝送装置ＮＥ１に於いては、優先度の低い品質レベルＱＬ−ＳＥＣに対して、優先度が最高の品質レベルＱＬ−ＰＲＣと認定するスレーブクロック発生部ＳＣＬＫからのクロックを選択し、それにより、このスレーブクロック発生部ＳＣＬＫのクロックに従属同期してデータ伝送を行うことができる。
【００１４】
伝送装置ＮＥ１は、スレーブクロック発生部ＳＣＬＫからのクロックが、優先度最高の品質レベルＱＬ−ＰＲＣとして処理し、同様に、伝送装置ＮＥ２０は、マスタクロック発生部ＭＣＬＫからのクロックが、優先度最高の品質レベルＱＬ−ＰＲＣとして処理する機能を有するものであり、又同期化供給装置ＳＳＵを接続した伝送装置ＮＥ１０は、同期化供給装置ＳＳＵとの間で品質情報の転送ができない場合、同期化供給装置ＳＳＵからのクロックは、優先度最高の品質レベルＱＬ−ＰＲＣとして処理する機能を有するものである。
【００１５】
又前述の同期化供給装置ＳＳＵに相当する独立型同期機器ＳＡＳＥに、正常時の再生処理によるクロックと、障害発生時の自走状態のクロックとをそれぞれ選択的に、伝送装置ＮＥ１０に相当するＳＤＨ装置ＳＥに入力する２個の出力ポートを設け、ＳＤＨ装置ＳＥは、独立型同期機器ＳＡＳＥの出力ポートに対応する入力ポートに対して、それぞれ品質レベルを割当てることにより、隣接するＳＤＨ装置ＳＥに対して、正常時と自走状態とに対応した品質レベルを送出する構成が提案されている（特許文献１参照）。
【００１６】
【特許文献１】
特開２００１−２３０７４７号公報
【００１７】
【発明が解決しようとする課題】
前述の伝送装置ＮＥ１０と同期化供給装置ＳＳＵとの間のクロック情報としては、バイボーラ信号による６４ｋＨｚのクロックに、バイポーラ・バイオレーションによる８ｋＨｚのクロックを多重化して転送する構成が国内では一般的である。従って、伝送装置ＮＥ１０と同期化供給装置ＳＳＵとの間では、クロックの品質情報を転送することができない構成を有するものである。その為に、図８の（Ｂ）を参照して説明したように、マスタクロック発生部ＭＣＬＫと同期化供給装置ＳＳＵとがそれぞれクロック断となるまで、伝送装置ＮＥ２０の自走状態のクロック発生部ＣＧからのクロックと、同期化供給装置ＳＳＵからのクロックとに従属同期した構成となり、単一の基準クロック発生部に対して従属同期化することができない問題がある。即ち、同期化供給装置ＳＳＵにも障害が発生しないと、スレーブクロック発生部ＳＣＬＫに完全に切替えることができない問題がある。
【００１８】
又前述の特許文献１に開示されている構成に於いては、同期化供給装置ＳＳＵを改造して、２個の出力ポートを選択できる構成とし、その出力ポート対応の入力ポートを伝送装置ＮＥ１０に設け、入力ポート対応の品質レベル設定を行うことにより、同期化供給装置ＳＳＵからのクロックの品質レベルを隣接する伝送装置側へ送出するものであるが、同期化供給装置ＳＳＵと伝送装置ＮＥ１０とに対する改造費用が多くなる欠点がある。又前述の特許文献１には、マスタクロック発生部ＭＣＬＫからスレーブクロック発生部ＳＣＬＫに完全に切替える過程については全く開示されていない。
【００１９】
本発明は、同期化供給装置に対するクロックの品質情報を転送することができないデータ伝送システムに於いて、僅かな機能の追加により、現用系の基準クロック発生部の障害発生時には、自動的に予備系の基準クロック発生部に切替えることを可能とすることを目的とする。
【００２０】
【課題を解決するための手段】
本発明のデータ伝送システムは、図１を参照して説明すると、高精度のクロックを発生する現用系と予備系との基準クロック発生部、即ち、マスタクロック発生部ＭＣＬＫとスレーブクロック発生部ＳＣＬＫと、品質情報を基に伝送路クロックを選択して従属同期化してデータ伝送処理を行う複数の伝送装置ＮＥ１〜ＮＥ２０と、この複数の伝送装置ＮＥ１〜ＮＥ２０間の伝送過程のクロックの再生処理を行う同期化供給装置ＳＳＵとを含むデータ伝送システムに於いて、同期化供給装置ＳＳＵを接続した伝送装置ＮＥ１０は、現用系の基準クロック発生部（マスタクロック発生部ＭＣＬＫ）側の伝送装置ＮＥ２０のクロック発生部ＣＧの自走状態を示すクロックの品質情報（ＱＬ−ＳＥＣ）を受信検出した時に、予備系の基準クロック発生部（スレーブクロック発生部ＳＣＬＫ）を接続した伝送装置ＮＥ１側へクロック発生部ＣＧの自走状態を示すクロックの品質情報（ＱＬ−ＳＥＣ）を送出する構成を有し、予備系の基準クロック発生部（スレーブクロック発生部ＳＣＬＫ）を接続した伝送装置ＮＥ１は、クロック発生部ＧＣの自走状態を示すクロックの品質情報（ＱＬ−ＳＥＣ）を受信検出して、予備系の基準クロック発生部（スレーブクロック発生部ＳＣＬＫ）からのクロックを選択する構成を備えている。
【００２１】
又同期化供給装置ＳＳＵを接続した伝送装置ＮＥ１０は、現用系の基準クロック発生部（マスタクロック発生部ＭＣＬＫ）側の伝送装置ＮＥ２０のクロック発生部ＣＧの自走状態を示すクロックの品質情報（ＱＬ−ＳＥＣ）を受信検出した時に、このクロックの品質情報（ＱＬ−ＳＥＣ）を受信した側の伝送装置からのクロックを選択してデータ伝送処理を行い、且つ受信検出したクロックの品質情報（ＱＬ−ＳＥＣ）を送出する構成を備えることができる。又同期化供給装置ＳＳＵを接続した伝送装置ＮＥ１０は、現用系の基準クロック発生部（マスタクロック発生部ＭＣＬＫ）側の伝送装置のクロック発生部ＣＧの自走状態を示すクロックの品質情報（ＱＬ−ＳＥＣ）を受信検出した時に、同期化供給装置ＳＳＵへ転送するクロックを総て断として、同期化供給装置ＳＳＵからの自走状態のクロックを選択してデータ伝送処理を行い、且つクロック発生部の自走状態を示すクロックの品質情報（ＱＬ−ＳＥＣ）を送出する構成を備えることができる。
【００２２】
又本発明の伝送装置は、データ伝送システムの同期化供給装置ＳＳＵを接続した伝送装置ＮＥ１０であって、入力クロックに位相同期してクロックを発生し、且つ入力クロック断時は自走発振するクロック発生部と、同期化供給装置ＳＳＵとの間でクロックの送受信切替え及びクロック発生部への入力クロックの選択切替えを行う選択処理部と、伝送路クロックの品質情報を基に選択処理部を制御し、自走状態のクロックの品質情報（ＱＬ−ＳＥＣ）を受信検出した時に、この品質情報のクロックの同期化供給装置ＳＳＵへの送出を停止し、この同期化供給装置ＳＳＵからのクロックを、前記品質情報を送出した伝送装置側のクロックに切替え、且つ予備系の基準クロック発生部（スレーブクロック発生部ＳＣＬＫ）側の伝送装置ＮＥ１に対して自走状態のクロックの品質情報（ＱＬ−ＳＥＣ）を送出する制御を行う選択制御処理部とを備えている。
【００２３】
又入力クロックに位相同期してクロックを発生し、且つ入力クロック断時は自走発振するクロック発生部と、同期化供給装置ＳＳＵとの間でクロックの送受信切替え及びクロック発生部への入力クロックの選択切替えを行う選択処理部と、伝送路クロックの品質情報を基に選択処理部を制御し、自走状態のクロックの品質情報（ＱＬ−ＳＥＣ）を受信検出した時に、この品質情報のクロックの前記同期化供給装置ＳＳＵへの送出を停止し、同期化供給装置ＳＳＵからのクロックを選択してクロック発生部に入力し、且つ予備系の基準クロック発生部（スレーブクロック発生部ＳＣＬＫ）側の伝送装置に対して自走状態のクロックの品質情報（ＱＬ−ＳＥＣ）を送出する制御を行う選択制御処理部と備えている。
【００２４】
【発明の実施の形態】
図１は本発明の実施の形態の説明図であり、（Ａ）は正常時、（Ｂ）はマスタクロック発生部の障害発生時を示す。クロック発生部ＣＧや図示を省略したクロック選択部やデータ送受信部等の機能を有する伝送装置ＮＥ１〜ＮＥ２０の中の伝送装置ＮＥ１，ＮＥ５，ＮＥ１０，ＮＥ１５，ＮＥ２０を図示し、現用系の基準クロック発生部としてのマスタクロック発生部ＭＣＬＫを伝送装置ＮＥ２０に接続し、予備系の基準クロック発生部としてのスレーブクロック発生部ＳＣＬＫを伝送装置ＮＥ１に接続し、同期化供給装置ＳＳＵを伝送装置ＮＥ１０に接続して、網同期化を行って高速データ伝送を行うデータ伝送システムを示す。
【００２５】
図１の（Ａ）に示すデータ伝送システムの正常時は、従来の図８の（Ａ）について説明した場合と同様の現用系の基準クロック発生部としてのマスタクロック発生部ＭＣＬＫからのクロックを選択し、且つ伝送装置ＮＥ１側に向かってクロックの品質情報としての優先度が最高の品質レベルＱＬ−ＰＲＣを転送し、予備系の基準クロック発生部としてのスレーブクロック発生部ＳＣＬＫ側からはクロック選択禁止の品質レベルＱＬ−ＤＮＵを転送する。そして、伝送装置ＮＥ１０と同期化供給装置ＳＳＵとの間は、クロック情報として６４ｋＨｚのクロックのバイポーラ信号に、８ｋＨｚのクロックをバイポーラ・バイオレーション信号として多重化して転送する。従って、伝送装置ＮＥ１０と同期化供給装置ＳＳＵとの間では、伝送路クロックの品質情報を転送できないデータ伝送システムを示すものである。
【００２６】
図２は本発明の実施の形態の伝送装置ＮＥ１０の要部を示すもので、他の伝送装置ＮＥ１〜ＮＥ９，ＮＥ１１〜ＮＥ２０については、従来例の構成を適用することができる。又同期化供給装置ＳＳＵについても従来例の構成を適用することができる。図２に於いて、１，２は光インタフェース部、３はクロック処理部、４，６，７は選択処理部（ＳＥＬ）、５は選択制御処理部、８はホールドオーバー部（ＨＯ）、９は位相同期ループを有するクロック発生部を示す。このクロック発生部９は、図１に於けるクロック発生部ＣＧの機能に相当する。
【００２７】
同期化供給装置ＳＳＵに対して、伝送装置ＮＥ１０の選択処理部４を介して接続し、前述の６４ｋＨｚのクロックに８ｋＨｚのクロックを多重化したクロックを伝送装置ＮＥ１０から同期化供給装置ＳＳＵに転送し、この同期化供給装置ＳＳＵに於いて高精度のクロックとして再生処理したクロックを伝送装置ＮＥ１０に戻すものである。又光インタフェース部１，２は、光信号によるＳＤＨフレームの送受信処理を行い、受信したＳＤＨフレームから抽出したクロック及びＳＤＨフレームのセクション・オーバー・ヘッドから抽出したクロックの品質情報（品質レベル）を選択処理部４を介して選択制御処理部５に転送し、又選択制御処理部５の制御による選択処理部６を介したクロックを伝送路クロックとしてＳＤＨフレームの送出制御を行い、且つそのクロックの品質情報をセクション・オーバー・ヘッドにより送出する機能を有するものである。
【００２８】
又選択処理部４は、選択制御処理部５によりクロックの選択出力制御が行われるもので、点線矢印で示すａ，ｂ，ｃ，ｄ，ｅの経路の切替えが行われる。又ホールドオーバー部８は、選択処理部４を介したクロックの位相を保持し、そのクロックが断となった時に、直前の位相情報を選択処理部７を介してクロック発生部９に入力し、自走状態とするものである。
【００２９】
一方の光インタフェース部１を図１の（Ａ）に於けるスレーブクロック発生部ＳＣＬＫ側、他方の光インタフェース部２を図１の（Ａ）に於けるマスタクロック発生部ＭＣＬＫ側とすると、図１の（Ａ）の正常時には、光インタフェース部２を介したクロックの品質レベルが優先度最高のＱＬ−ＰＲＣであるから、選択制御処理部５は選択処理部４を制御して経路ｄ，ａを形成し、光インタフェース部２を介したクロックを同期化供給装置ＳＳＵに転送する。又光インタフェース部１を介したクロックの品質レベルはクロック選択禁止のＱＬ−ＤＮＵであるから、選択処理部４の経路ｃ，ｅは形成しない。なお、経路ｂ，ｃも形成しない。即ち、スレーブクロック発生部ＳＣＬＫ側からのクロックは、選択禁止の品質レベルであるから選択しない。
【００３０】
又同期化供給装置ＳＳＵにより再生処理されたクロックを、選択処理部４の経路ａを介してホールドオーバー部８と選択処理部７とに入力し、ホールドオーバー部８によりクロック位相を保持する。又選択制御処理部５により選択処理部６を制御して、同期化供給装置ＳＳＵからのクロックに位相同期したクロックを光インタフェース部１に転送し、又同期化供給装置ＳＳＵからのクロックの品質レベルは、優先度最高のＱＬ−ＰＲＣと推定し、この品質レベルＱＬ−ＰＲＣを選択処理部６を介して光インタフェース部１に転送する。それにより、伝送装置ＮＥ１０から伝送装置ＮＥ５側へ同期化供給装置ＳＳＵからのクロックを選択して伝送処理し、その品質レベルＱＬ−ＰＲＣを送出することができる。又選択制御処理部５は、選択処理部６を制御して、光インタフェース部２にクロック選択禁止の品質レベルＱＬ−ＤＮＵを送出し、この品質レベルＱＬ−ＤＮＵを伝送装置ＮＥ１５側へ送出する。
【００３１】
図１の（Ｂ）は、マスタクロック発生部ＭＣＬＫの障害発生により、伝送装置ＮＥ２０に対してクロック断となった場合を示す。伝送装置ＮＥ２０は、クロック断により、クロック発生部ＣＧは、図２に於けるホールドオーバー部８と選択処理部７とクロック発生部９との構成に相当する構成を有し、マスタクロック発生部ＭＣＬＫのクロック断の直前の位相情報を保持して、その位相に従って自走発振するホールドオーバー状態となり、品質レベルを自走状態を示す優先度が低いＱＬ−ＳＥＣとして伝送装置ＮＥ１５側に送出する。この時点では、伝送装置ＮＥ１５を含む他の伝送装置は、前の状態を継続している。
【００３２】
図３〜図６の切替過程の説明図を基に、図１の（Ｂ）の状態以降の動作を説明する。伝送装置ＮＥ１５は、伝送装置ＮＥ２０側からのクロック発生部ＣＧの自走状態を示す品質レベルＱＬ−ＳＥＣに従って、伝送装置ＮＥ１０側へ品質レベルＱＬ−ＳＥＣを送出する。伝送装置ＮＥ１０に於いて、この品質レベルＱＬ−ＳＥＣを受信検出するまで、即ち、選択制御処理部５に於いて受信検出するまで、選択処理部４の状態は、前の状態を維持することになる。この状態を図３の（Ｃ）に示す。
【００３３】
伝送装置ＮＥ１０に於いて、品質レベルＱＬ−ＳＥＣを受信検出すると、即ち、図２に於ける光インタフェース部２を介して受信した品質レベルＱＬ−ＳＥＣを選択処理部５が検出すると、選択処理部４を制御して経路ｄを断とし、経路ａは保持している。この状態は図３の（Ｄ）に示すものとなる。又同期化供給装置ＳＳＵは、選択処理部４の経路ｄ，ｅが共に断となることにより、自走状態でクロックを発生している状態となる。
【００３４】
伝送装置ＮＥ１０の選択制御処理部５は、選択処理部４の制御状態として、同期化供給装置ＳＳＵに対して、マスタクロック発生部ＭＣＬＫ側とスレーブクロック発生部ＳＣＬＫ側との両側からのクロックを断（選択処理部４の経路ｄ，ｅを断）としていることにより、選択処理部４の経路ａを断とし、経路ｂを形成する。即ち、伝送装置ＮＥ１５側からのクロック発生部の自走状態を示す品質レベルＱＬ−ＳＥＣのクロックを選択したことになり、選択制御処理部５は、選択処理部６を制御して次の伝送装置側へ送出する品質レベルをＱＬ−ＳＥＣとする。なお、伝送装置ＮＥ１５側への品質レベルはクロック選択禁止のＱＬ−ＤＮＵのままとする。この状態を図４の（Ｅ）に示す。この場合、伝送装置ＮＥ１側へも品質レベルＱＬ−ＳＥＣが伝送されることになる。
【００３５】
伝送装置ＮＥ１は、伝送装置ＮＥ５側からのクロック発生部ＣＧの自走状態を示す優先度の低い品質レベルＱＬ−ＳＥＣを受信することにより、スレーブクロック発生部ＳＣＬＫからのクロックの品質レベルＱＬ−ＰＲＣが高いので、スレーブクロック発生部ＳＣＬＫからのクロックを選択して伝送処理し、伝送装置ＮＥ５側に優先度が最高の品質レベルＱＬ−ＰＲＣを送出する。この状態を図４の（Ｆ）に示す。
【００３６】
伝送装置ＮＥ５は、品質レベルＱＬ−ＰＲＣに従って伝送装置ＮＥ１側からのクロックを選択し、その品質レベルＱＬ−ＰＲＣを伝送装置ＮＥ１０側に送出し、伝送装置ＮＥ１側へは、クロック選択禁止の品質レベルＱＬ−ＤＮＵを送出する。伝送装置ＮＥ１０の選択制御処理部５（図２参照）は、伝送装置ＮＥ５側からの優先度の高い品質レベルＱＬ−ＰＲＣを受信検出すると、選択処理部４を制御して、経路ａ，ｅを形成する。即ち、スレーブクロック発生部ＳＣＬＫから伝送装置ＮＥ５側を経由したクロックを選択して同期化供給装置ＳＳＵへ転送し、同期化供給装置ＳＳＵにより再生処理されたクロックをクロック発生部９に入力し、スレーブクロック発生部ＳＣＬＫ側のクロックに位相同期したクロックを発生する。又伝送装置ＮＥ５側へクロック選択禁止の品質レベルＱＬ−ＤＮＵを送出する。この状態を図５の（Ｇ）に示す。
【００３７】
次に、伝送装置ＮＥ１０の選択制御処理部５は、選択処理部６を制御して、伝送装置ＮＥ１５側へデータ伝送を行ったクロックの品質レベルＱＬ−ＰＲＣを送出する。この状態を図５の（Ｈ）に示す。伝送装置ＮＥ１５は、品質レベルＱＬ−ＰＲＣを受信識別することにより、伝送装置ＮＥ１０側からの伝送路クロックを選択し、伝送装置ＮＥ２０側に品質レベルＱＬ−ＰＲＣを送出する。伝送装置２０もこの品質レベルＱＬ−ＰＲＣにより、伝送装置ＮＥ１５側からの伝送路クロックを選択する。
【００３８】
そして、伝送装置側へは品質レベルＱＬ−ＤＮＵを送出する。この状態を図６の（Ｉ）に示す。即ち、同期化供給装置ＳＳＵと伝送装置ＮＥ１０との間でクロックの品質情報を伝送できないシステムに於いても、伝送装置ＮＥ１０に、優先度が最低の品質レベル（ＱＬ−ＳＥＣ）を、次の伝送装置側に送出する選択処理部４及び選択制御処理部５を設けたことにより、マスタクロック発生部ＭＣＬＫの障害発生時は、スレーブクロック発生部ＳＣＬＫからのクロックに同期する状態に完全に切替えて、１台のスレーブクロック発生部ＳＣＬＫに従属同期した構成とすることができる。
【００３９】
又マスタクロック発生部ＭＣＬＫを接続した伝送装置ＮＥ２０に於いては、マスタクロック発生部ＭＣＬＫが正常の場合、伝送装置ＮＥ１５側からのクロックの品質レベルが優先度最高のＱＬ−ＰＲＣであっても、マスタクロック発生部ＭＣＬＫからのクロックを選択し、又スレーブクロック発生部ＳＣＬＫを接続した伝送装置ＮＥ１に於いては、スレーブクロック発生部ＳＣＬＫが正常の場合、伝送装置ＮＥ５側からのクロックの品質レベルがＱＬ−ＰＲＣより低い場合のみ、スレーブクロック発生部ＳＣＬＫからのクロックを選択する構成であり、マスタクロック発生部ＭＣＬＫとスレーブクロック発生部ＳＣＬＫとが共に障害発生の状態となると、例えば、図４の（Ｅ）の状態が継続することになる。
【００４０】
そこで、この図３の（Ｄ）の状態に於いて、伝送装置ＮＥ１０の選択制御処理部５は、選択処理部４の経路ｄ，ｅを共に断としたことを条件に、経路ａを維持して同期化供給装置ＳＳＵからのクロックを選択し、伝送装置ＮＥ５側に対して品質レベルをＱＬ−ＳＥＣとして送出する。即ち、図４の（Ｅ）の状態に移行することなく、選択処理部４の経路ｄ，ｅを共に断とした条件で、選択制御処理部５は、品質レベルをＱＬ−ＳＥＣとして送出する。この状態を図７の（ａ）に示す。従って、伝送装置ＮＥ１には、クロックの品質レベルＱＬ−ＳＥＣが伝送されるので、伝送装置ＮＥ１では、スレーブクロック発生部ＳＣＬＫが正常状態に復帰すれば、このスレーブクロック発生部ＳＣＬＫからのクロックを選択することができる。
【００４１】
次に、伝送装置ＮＥ１０の選択制御処理部５は、選択処理部６を制御して、伝送装置ＮＥ１５側へ優先度最高の品質レベルＱＬ−ＰＲＣを送出する。この品質レベルＱＬ−ＰＲＣは、伝送装置ＮＥ２０にも伝送されることになり、マスタクロック発生部ＭＣＬＫが正常状態に復帰すれば、伝送装置ＮＥ２０は、マスタクロック発生部ＭＣＬＫからのクロックを選択することになる。この状態を図７の（ｂ）に示し、同期化供給装置ＳＳＵに従属同期した状態となる。
【００４２】
前述の伝送装置ＮＥ１０の選択制御処理部５の機能は、プロセッサの処理機能によって容易に実現することが可能であり、又選択処理部４の機能も、選択制御処理部５により制御されるゲート回路等により容易に実現することができる。又本発明は、前述の実施の形態にのみ限定されるものではなく、種々付加変更することが可能であり、更に多数の伝送装置と同期化供給装置とを設けたシステムに於いても本発明を適用することができるものである。又ＳＤＨシステムについて説明しているが、ＳＯＮＥＴシステムにも適用できるものである。
【００４３】
【発明の効果】
以上説明したように、本発明は、高精度且つ高安定度のクロックを発生する現用系と予備系との基準クロック発生部（マスタクロック発生部ＭＣＬＫとスレーブクロック発生部ＳＣＬＫ）と、複数の伝送装置ＮＥ１〜ＮＥ２０と、クロック再生処理を行う同期化供給装置ＳＳＵとを含むデータ伝送システム及び同期化供給装置ＳＳＵを接続した伝送装置ＮＥ１０に於いて、この伝送装置ＮＥ１０は、現用系のマスタクロック発生部ＭＣＬＫ側の伝送装置ＮＥ２０のクロック発生部ＣＧの自走状態を示す優先度の低いクロックの品質情報（ＱＬ−ＳＥＣ）を受信検出した時に、予備系のスレーブクロック発生部ＳＣＬＫを接続した伝送装置ＮＥ１側へクロック発生部ＣＧの自走状態を示すクロックの品質情報（ＱＬ−ＳＥＣ）を送出することにより、予備系のスレーブクロック発生部ＳＣＬＫを接続した伝送装置ＮＥ１は、クロック発生部ＧＣの自走状態を示すクロックの品質情報（ＱＬ−ＳＥＣ）を受信検出して、予備系のスレーブクロック発生部ＳＣＬＫからのクロックを選択する機能を有し、同期化供給装置ＳＳＵと伝送装置ＮＥ１０との間でクロックの品質情報を転送できないシステムに於いても、従来の伝送装置ＮＥ１０に僅かな機能を付加するだけで、伝送路クロックの品質情報を基に、現用系から予備系への基準クロック発生部の切替えを可能とし、且つ現用系と予備系との基準クロック発生部の障害発生時は、同期化供給装置ＳＳＵからのクロックを基にした従属同期網に切替えることができる。
【図面の簡単な説明】
【図１】本発明の実施の形態の説明図である。
【図２】本発明の実施の形態の伝送装置の要部説明図である。
【図３】本発明の実施の形態の切替過程の説明図である。
【図４】本発明の実施の形態の切替過程の説明図である。
【図５】本発明の実施の形態の切替過程の説明図である。
【図６】本発明の実施の形態の切替過程の説明図である。
【図７】本発明の実施の形態の切替過程の説明図である。
【図８】従来のデータ伝送システムの概要説明図である。
【図９】ＳＳＭコードと品質レベル及び優先度の説明図である。
【図１０】マルチフレームの説明図である。
【符号の説明】
ＮＥ１〜ＮＥ２０  伝送装置
ＳＳＵ  同期化供給装置
ＭＣＬＫ  マスタクロック発生部
ＳＣＬＫ  スレーブクロック発生部
ＣＧ  クロック発生部
１，２  光インタフェース部
３  クロック処理部
４，６，７  選択処理部
５  選択制御処理部
８  ホールドオーバー部（ＨＯ）
９  クロック発生部
【図１】
2004159124.tif 000003
【図２】
2004159124.tif 000004
【図３】
2004159124.tif 000005
【図４】
2004159124.tif 000006
【図５】
2004159124.tif 000007
【図６】
2004159124.tif 000008
【図７】
2004159124.tif 000009
【図８】
2004159124.tif 000010
【図９】
2004159124.tif 000011
【図１０】
2004159124.tif 000012